(57)【要約】【課題】反転ローラ対４３を相互に離間させずに、シートの後端付近が挟持された反転ローラ対４３にシートの先端を導くことができる装置を提供する。【解決手段】当該装置は、反転ローラ対４３よりも搬送向き１５上流側に設けられており、搬送される記録用紙１２に幅方向に連続する波形状を付与する波形状付与機構９０と、反転ローラ対４３の挟持位置から第２搬送路６７及び搬送ローラ対５９を通って上記挟持位置へ戻ってくるまでの搬送経路の長さよりも、搬送向き１５に沿ったシート長が長い記録用紙１２の第１面に記録部２４によって画像記録を行い、第１面が画像記録された記録用紙１２を反転ローラ対４３によって第２搬送路６７へ搬送させ、当該記録用紙１２の第１面の裏面に画像記録を行い、且つ搬送ローラ対５９によって記録用紙１２の先端を反転ローラ対４３よりも搬送向き１５下流側に搬送させるマイクロコンピュータ１３０とを備える。【選択図】図２
2014047053.tif 000002
【特許請求の範囲】
【請求項１】
第１搬送路を案内されるシートを挟持して搬送向きへ搬送する搬送ローラ対と、
上記搬送ローラ対よりも上記搬送向きの下流側に設けられており、シートにノズルからインク滴を吐出することによって画像を記録する記録部と、
上記搬送ローラ対よりも上記搬送向きの下流側に設けられた反転ローラ対であって、シートを挟持して、上記搬送向きの下流側へ搬送、または、上記搬送ローラ対よりも上記搬送向きの下流側且つ当該反転ローラ対よりも上記搬送向きの上流側及び上記搬送ローラ対よりも上記搬送向きの上流側において上記第１搬送路と接続された第２搬送路へ搬送する反転ローラ対と、
上記反転ローラ対よりも上記搬送向き上流側に設けられており、シートに上記搬送向きと交差する幅方向に連続する波形状を付与する波形状付与機構と、
上記反転ローラ対によるシートの挟持位置から、上記第２搬送路を通って上記搬送ローラ対へ向かい、当該搬送ローラ対から上記第１搬送路を通って上記挟持位置へ戻ってくるまでの搬送経路の長さよりも、上記搬送向きに沿ったシート長が長いシートの第１面に上記記録部によって画像記録を行い、上記第１面の画像記録が完了したシートを上記反転ローラ対によって上記第２搬送路に向けて搬送させ、当該シートの上記第１面の裏面である第２面に上記記録部によって画像記録を行い、且つ、上記搬送ローラ対によって当該シートの先端を上記反転ローラ対よりも上記搬送向き下流側に搬送させる制御部と、を備えるインクジェット記録装置。
【請求項２】
上記波形状付与機構は、
上記搬送ローラ対よりも上記搬送向きの下流側且つ上記反転ローラ対よりも上記搬送向きの上流側に設けられており、上記搬送向きと交差する幅方向において複数が離間されて配置された凸部を有し、シートを下側から支持する支持部と、
上記幅方向において上記凸部の間に設けられ、その下端は上記凸部の上端よりも下側であって、シートに上側から当接する当接部と、を備える請求項１に記載のインクジェット記録装置。
【請求項３】
上記反転ローラ対は、上記記録部よりも上記搬送向きの下流側に設けられており、
上記第２搬送路は、上記記録部よりも上記搬送向きの下流側且つ当該反転ローラ対よりも上記搬送向きの上流側及び上記搬送ローラ対よりも上記搬送向きの上流側において上記第１搬送路と接続されており、
上記波形状付与機構は、
少なくとも上記当接部及び上記凸部を、上記ノズルよりも上記搬送向きの下流側、且つ上記記録部よりも上記搬送向きの下流側の上記第１搬送路及び上記第２搬送路の接続位置よりも上記搬送向きの上流側に備える請求項２に記載のインクジェット記録装置。
【請求項４】
上記波形状付与機構は、
上記搬送ローラ対よりも上記搬送向きの下流側且つ上記ノズルよりも上記搬送向きの上流側において、上記幅方向に複数が離間されて配置された第１凸部と、
上記ノズルよりも上記搬送向きの下流側且つ上記反転ローラ対よりも上記搬送向きの上流側において、上記幅方向に複数が離間されて配置された第２凸部と、
上記幅方向において上記第１凸部の間に設けられた第１当接部と、
上記幅方向において上記第２凸部の間に設けられた第２当接部と、を有する請求項３に記載のインクジェット記録装置。
【請求項５】
上記記録部よりも上記搬送向きの下流側且つ上記反転ローラ対よりも上記搬送向きの上流側において、上記幅方向に複数が離間されて配置されており、シートを挟持して上記搬送向きへ搬送する排出ローラ対を更に備え、
上記当接部は、上記幅方向において上記排出ローラ対の間に配置されており、その下端が上記排出ローラ対によるシートの挟持位置よりも下方に位置する請求項３または４に記載のインクジェット記録装置。
【請求項６】
上記排出ローラ対がシートを挟持して搬送する力は、上記反転ローラ対がシートを挟持して搬送する力よりも大きい請求項５に記載のインクジェット記録装置。
【請求項７】
上記制御部は、
上記記録部によって上記第１面の画像記録が完了し、上記反転ローラ対によって上記第２搬送路へ向けて搬送されたシートの先端が、上記波形状付与機構に到達したことを条件として、当該シートを所定時間停止させる請求項１から６のいずれかに記載のインクジェット記録装置。
【請求項８】
上記反転ローラ対は、上記記録部よりも上記搬送向きの下流側に設けられており、
上記第２搬送路は、上記記録部よりも上記搬送向きの下流側且つ当該反転ローラ対よりも上記搬送向きの上流側及び上記搬送ローラ対よりも上記搬送向きの上流側において上記第１搬送路と接続されており、
上記記録部よりも上記搬送向きの下流側且つ上記反転ローラ対よりも上記搬送向きの上流側において、上記幅方向に複数が離間されて配置されており、シートを挟持して上記搬送向きへ搬送する排出ローラ対を更に備え、
上記波形状付与機構は、
上記搬送向きにおいて上記ノズルと上記反転ローラ対との間であって、上記幅方向において上記排出ローラ対の間に配置されており、上記第１搬送路を搬送されるシートに上側から当接し、その下端が上記排出ローラ対によるシートの挟持位置よりも下方に位置する当接部を有する請求項１に記載のインクジェット記録装置。
【請求項９】
上記当接部は、上記搬送向きにおいて、上記排出ローラ対と上記排出ローラ対よりも下流側の上記第１搬送路及び上記第２搬送路の接続位置との間に配置されている請求項８に記載のインクジェット記録装置。
【請求項１０】
上記制御部は、
上記反転ローラ対によって上記第２搬送路へ向けて搬送され、上記記録部によって上記第２面を画像記録されたシートの先端が、上記当接部及び上記排出ローラ対の挟持位置よりも上記搬送向きの下流側であり、且つ上記反転ローラ対よりも上記搬送向きの上流側に位置することを条件として、当該シートを所定時間停止させる請求項８または９に記載のインクジェット記録装置。
【請求項１１】
上記搬送ローラ対がシートを挟持して搬送する力は、上記反転ローラ対がシートを挟持して搬送する力よりも大きい請求項１から１０のいずれかに記載のインクジェット記録装置。
【請求項１２】
上記搬送ローラ対は、
モータから正転の駆動力を伝達されて、シートを上記搬送向きへ搬送する回転向きに回転し、上記モータから逆転の駆動力を伝達されて、シートを上記搬送向きと逆向きへ搬送する回転向きに回転する第１駆動ローラと、
上記第１駆動ローラに圧接されており上記第１駆動ローラに従動して回転する第１従動ローラと、を備え、
上記反転ローラ対は、
上記第１駆動ローラに同期して回転する第２駆動ローラであって、上記第１駆動ローラがシートを上記搬送向きへ搬送する回転向きに回転すると、シートを上記搬送向きへ搬送する回転向きに回転し、上記第１駆動ローラがシートを上記搬送向きと逆向きへ搬送する回転向きに回転すると、シートを上記第２搬送路へ搬送する回転向きに回転する第２駆動ローラと、
上記第２駆動ローラに圧接されており上記第２駆動ローラに従動して回転する第２従動ローラと、を備え、
上記制御部は、
上記記録部によって上記第１面に画像記録され、且つ、上記反転ローラ対によって上記第２搬送路に搬送されたシートの先端が、上記搬送ローラ対によるシートの挟持位置に位置していることを条件として、上記モータを逆転から正転に切り替えて、シートを上記搬送向きの下流側に搬送する請求項１から１１のいずれかに記載のインクジェット記録装置。
【請求項１３】
上記反転ローラ対は、上記モータから駆動力を伝達されて回転する請求項１２に記載のインクジェット記録装置。
【発明の詳細な説明】
【技術分野】
【０００１】
本発明は、ノズルからインク滴を吐出することによってシートに画像を記録するインクジェット記録装置に関し、特に、シートの両面に画像を記録可能なインクジェット記録装置に関する。
【背景技術】
【０００２】
従来より、ノズルからインク滴を吐出することによってシートに画像を記録するインクジェット記録装置が知られている。
【０００３】
また、近年、インクジェット記録装置は、シートの両面に画像を記録することができるものが増えている。このようなインクジェット記録装置の一例として特許文献１においては、給紙トレイから送り出されたシートが搬送ローラ対によって記録部へ搬送される。記録部においてシートの表面に画像が記録される。表面に画像が記録されたシートは、記録部の下流側で反転ローラ対によってスイッチバックされる。スイッチバックされたシートは、記録部の下方かつ給紙トレイの上方に設けられた再供給搬送路に搬送される。再供給搬送路に搬送されたシートは、再供給搬送路を経て再び搬送ローラ対へ送られる。搬送ローラ対によって記録部に到達したシートは、表面に画像を形成されたときと同様にして、記録部によって裏面に画像が記録される。その後、両面に画像が記録されたシートは反転ローラ対によって排出トレイに排出される。
【先行技術文献】
【特許文献】
【０００４】
【特許文献１】特開２００９−２０８８６２号公報
【発明の概要】
【発明が解決しようとする課題】
【０００５】
また、近年、インクジェット記録装置の小型化が要請されている。一方で、インクジェット記録装置は、できるだけ大きなサイズのシートに画像を記録可能であることが要請されている。上記のような２つの要請を何れも満足するようなインクジェット記録装置においては、以下のような状態となる。つまり、表面に画像記録された後に反転ローラ対によってスイッチバックされたシートは、再供給搬送路を通過して再び搬送ローラ対へ送られて、裏面に画像記録される。そして、画像記録されたシートの搬送先端が再び反転ローラ対に戻ってきたとき、当該シートのサイズが大きいと、当該シートの搬送後端付近が反転ローラ対から抜けきっておらず、反転ローラ対に挟持された状態となっている場合がある。
【０００６】
しかしながら、インクジェット記録装置において、記録部によってシートにインク滴が吐出されると、インクが浸透したシートは、反るように変形してしまう。この変形によって、裏面に画像記録されたシートの先端を反転ローラ対に導くことができないおそれがある。
【０００７】
本発明は、上記問題に鑑みてなされたものであり、その目的は、シートの後端付近が挟持された反転ローラ対にシートの先端を導き、且つシートを反転ローラ対によって適切に挟持することができるインクジェット記録装置を提供することにある。
【課題を解決するための手段】
【０００８】
(1)  本発明に係るインクジェット記録装置は、第１搬送路を案内されるシートを挟持して搬送向きへ搬送する搬送ローラ対と、上記搬送ローラ対よりも上記搬送向きの下流側に設けられており、シートにノズルからインク滴を吐出することによって画像を記録する記録部と、上記搬送ローラ対よりも上記搬送向きの下流側に設けられた反転ローラ対であって、シートを挟持して、上記搬送向きの下流側へ搬送、または、上記搬送ローラ対よりも上記搬送向きの下流側且つ当該反転ローラ対よりも上記搬送向きの上流側及び上記搬送ローラ対よりも上記搬送向きの上流側において上記第１搬送路と接続された第２搬送路へ搬送する反転ローラ対と、上記反転ローラ対よりも上記搬送向き上流側に設けられており、シートに上記搬送向きと交差する幅方向に連続する波形状を付与する波形状付与機構と、上記反転ローラ対によるシートの挟持位置から、上記第２搬送路を通って上記搬送ローラ対へ向かい、当該搬送ローラ対から上記第１搬送路を通って上記挟持位置へ戻ってくるまでの搬送経路の長さよりも、上記搬送向きに沿ったシート長が長いシートの第１面に上記記録部によって画像記録を行い、上記第１面の画像記録が完了したシートを上記反転ローラ対によって上記第２搬送路に向けて搬送させ、当該シートの上記第１面の裏面である第２面に上記記録部によって画像記録を行い、且つ、上記搬送ローラ対によって当該シートの先端を上記反転ローラ対よりも上記搬送向き下流側に搬送させる制御部と、を備える。
【０００９】
本構成によれば、第１搬送路を搬送されるシートは、波形状付与機構によって、幅方向に沿って波打った状態となる。そして、シートが波打った状態となることによって、シートの剛性が強くなる。その結果、シートの先端を反転ローラ対に向けて適正に搬送することができる。
【００１０】
(2)  上記波形状付与機構は、上記搬送ローラ対よりも上記搬送向きの下流側且つ上記反転ローラ対よりも上記搬送向きの上流側に設けられており、上記搬送向きと交差する幅方向において複数が離間されて配置された凸部を有し、シートを下側から支持する支持部と、上記幅方向において上記凸部の間に設けられ、その下端は上記凸部の上端よりも下側であって、シートに上側から当接する当接部と、を備える。
【００１１】
本構成によれば、第１搬送路を搬送されるシートの下側を凸部で支持し、上側を当接部で押さえることによって、当該シートを幅方向に沿って波打った状態とすることができる。
【００１２】
(3)  上記反転ローラ対は、上記記録部よりも上記搬送向きの下流側に設けられている。上記第２搬送路は、上記記録部よりも上記搬送向きの下流側且つ当該反転ローラ対よりも上記搬送向きの上流側及び上記搬送ローラ対よりも上記搬送向きの上流側において上記第１搬送路と接続されている。上記波形状付与機構は、少なくとも上記当接部及び上記凸部を、上記ノズルよりも上記搬送向きの下流側、且つ上記記録部よりも上記搬送向きの下流側の上記第１搬送路及び上記第２搬送路の接続位置よりも上記搬送向きの上流側に備える。
【００１３】
本構成によれば、波形状付与機構によって記録部による画像記録後のシートの剛性が強くなるため、シートを反転ローラ対に挟持させやすい。
【００１４】
(4)  上記波形状付与機構は、上記搬送ローラ対よりも上記搬送向きの下流側且つ上記ノズルよりも上記搬送向きの上流側において、上記幅方向に複数が離間されて配置された第１凸部と、上記ノズルよりも上記搬送向きの下流側且つ上記反転ローラ対よりも上記搬送向きの上流側において、上記幅方向に複数が離間されて配置された第２凸部と、上記幅方向において上記第１凸部の間に設けられた第１当接部と、上記幅方向において上記第２凸部の間に設けられた第２当接部と、を有する。
【００１５】
本構成によれば、搬送向きにおいて、当接部と凸部とが複数設けられている。これにより、シートの剛性を強めることができる。
【００１６】
(5)  本発明に係るインクジェット記録装置は、上記記録部よりも上記搬送向きの下流側且つ上記反転ローラ対よりも上記搬送向きの上流側において、上記幅方向に複数が離間されて配置されており、シートを挟持して上記搬送向きへ搬送する排出ローラ対を更に備える。上記当接部は、上記幅方向において上記排出ローラ対の間に配置されており、その下端が上記排出ローラ対によるシートの挟持位置よりも下方に位置する。
【００１７】
本構成によれば、シートの幅方向に沿った波打った状態を崩さずに、当該シートを反転ローラ対まで搬送することができる。
【００１８】
(6)  上記排出ローラ対がシートを挟持して搬送する力は、上記反転ローラ対がシートを挟持して搬送する力よりも大きい。
【００１９】
本構成によれば、排出ローラ対がシートを挟持して搬送する力は、反転ローラ対がシートを挟持して搬送する力よりも強い。そのため、本構成によれば、排出ローラ対によって搬送向きに搬送されて反転ローラ対に到達したシートの先端を、反転ローラ対による挟持位置へ容易に押し込むことができる。また、シートの先端が排出ローラ対に挟持されたときに、シートの後端付近が反転ローラ対に挟持された状態であっても、シートの後端を容易に反転ローラ対から引き抜くことができる。
【００２０】
(7)  上記制御部は、上記記録部によって上記第１面の画像記録が完了し、上記反転ローラ対によって上記第２搬送路へ向けて搬送されたシートの先端が、上記波形状付与機構に到達したことを条件として、当該シートを所定時間停止させる。
【００２１】
本構成によれば、シートが波形状付与機構によって幅方向に沿って波打った状態が所定時間維持される。これにより、インクが付着されることによるシートの変形を緩和することができる。
【００２２】
(8)  上記反転ローラ対は、上記記録部よりも上記搬送向きの下流側に設けられている。上記第２搬送路は、上記記録部よりも上記搬送向きの下流側且つ当該反転ローラ対よりも上記搬送向きの上流側及び上記搬送ローラ対よりも上記搬送向きの上流側において上記第１搬送路と接続されている。本発明に係るインクジェット記録装置は、上記記録部よりも上記搬送向きの下流側且つ上記反転ローラ対よりも上記搬送向きの上流側において、上記幅方向に複数が離間されて配置されており、シートを挟持して上記搬送向きへ搬送する排出ローラ対を更に備える。上記波形状付与機構は、上記搬送向きにおいて上記ノズルと上記反転ローラ対との間であって、上記幅方向において上記排出ローラ対の間に配置されており、上記第１搬送路を搬送されるシートに上側から当接し、その下端が上記排出ローラ対によるシートの挟持位置よりも下方に位置する当接部を有する。
【００２３】
本構成によれば、第１搬送路を搬送されるシートは、所定高さで排出ローラ対に挟持される。また、当該シートは、幅方向における排出ローラ対の間において当接部に押さえられることによって上記所定高さよりも下側に位置する。これにより、当該シートを幅方向に沿って波打った状態とすることができる。
【００２４】
(9)  上記当接部は、上記搬送向きにおいて、上記排出ローラ対と上記排出ローラ対よりも下流側の上記第１搬送路及び上記第２搬送路の接続位置との間に配置されている。
【００２５】
本構成によれば、第１搬送路を搬送向きに搬送されるシートは、第２搬送路との接続位置に到達する前に、当接部を有する波形状付与機構によって幅方向に沿って波打った状態となる。そして、シートが波打った状態となることによって、シートの剛性が強くなる。その結果、シートが誤って第２搬送路に進入する可能性を低くすることができる。
【００２６】
(10)  上記制御部は、上記反転ローラ対によって上記第２搬送路へ向けて搬送され、上記記録部によって上記第２面を画像記録されたシートの先端が、上記当接部及び上記排出ローラ対の挟持位置よりも上記搬送向きの下流側であり、且つ上記反転ローラ対よりも上記搬送向きの上流側に位置することを条件として、当該シートを所定時間停止させる。
【００２７】
本構成によれば、シートが排出ローラ対に挟持され且つ当接部に押さえられることによって幅方向に沿って波打った状態が所定時間維持される。これにより、インクが付着されることによるシートの変形を緩和することができる。
【００２８】
(11)  上記搬送ローラ対がシートを挟持して搬送する力は、上記反転ローラ対がシートを挟持して搬送する力よりも大きい。
【００２９】
本構成によれば、搬送ローラ対がシートを挟持して搬送する力は、反転ローラ対がシートを挟持して搬送する力よりも大きい。これにより、シートの先端が第２搬送路を経て搬送ローラ対に挟持されたときに、シートの後端付近が反転ローラ対に挟持された状態であっても、シートの後端を反転ローラ対から容易に引き抜いて、当該シートを適正に搬送することができる。
【００３０】
(12)  上記搬送ローラ対は、モータから正転の駆動力を伝達されて、シートを上記搬送向きへ搬送する回転向きに回転し、上記モータから逆転の駆動力を伝達されて、シートを上記搬送向きと逆向きへ搬送する回転向きに回転する第１駆動ローラと、上記第１駆動ローラに圧接されており上記第１駆動ローラに従動して回転する第１従動ローラと、を備える。上記反転ローラ対は、上記第１駆動ローラに同期して回転する第２駆動ローラであって、上記第１駆動ローラがシートを上記搬送向きへ搬送する回転向きに回転すると、シートを上記搬送向きへ搬送する回転向きに回転し、上記第１駆動ローラがシートを上記搬送向きと逆向きへ搬送する回転向きに回転すると、シートを上記第２搬送路へ搬送する回転向きに回転する第２駆動ローラと、上記第２駆動ローラに圧接されており上記第２駆動ローラに従動して回転する第２従動ローラと、を備える。上記制御部は、上記記録部によって上記第１面に画像記録され、且つ、上記反転ローラ対によって上記第２搬送路に搬送されたシートの先端が、上記搬送ローラ対によるシートの挟持位置に位置していることを条件として、上記モータを逆転から正転に切り替えて、シートを上記搬送向きの下流側に搬送する。
【００３１】
本構成によれば、第２搬送路を搬送されてきたシートの先端が搬送ローラ対によるシートの挟持位置に到達してからモータが正転されるため、シートを搬送ローラ対によって確実に搬送向きに搬送させることができる。つまり、本構成によれば、第１駆動ローラと第２駆動ローラとを共通のモータによって駆動させた場合であっても、第１面に画像記録されたシートを反転ローラ対によって第２搬送路へ向けて搬送し、第２搬送路から搬送ローラ対へ到達した当該シートを搬送ローラ対によって記録部へ搬送し、記録部によって第２面に画像記録された当該シートを再び反転ローラ対へ導く動作を、実行することができる。
【００３２】
(13)  上記反転ローラ対は、上記モータから駆動力を伝達されて回転する。
【００３３】
本構成によれば、反転ローラ対を回転させるための専用のモータを設ける必要がない。
【発明の効果】
【００３４】
本発明によれば、シートの後端付近が挟持された反転ローラ対にシートの先端を導き、且つシートを反転ローラ対によって適切に挟持することができる。
【図面の簡単な説明】
【００３５】
【図１】図１は、複合機１０の斜視図である。
【図２】図２は、プリンタ部１１の内部構造を模式的に示す縦断面図である。
【図３】図３は、押さえ部１００とプラテン４２と押さえ拍車１０２、１０４と各ローラ対５９、６６、４３とを示す斜視図である。
【図４】図４（Ａ）は、プラテン４２と押さえ部１００と記録用紙１２とを示す正面図であり、図４（Ｂ）は、内側ガイド部材１９と押さえ拍車１０２と排出ローラ対６６とを示す正面図である。
【図５】図５（Ａ）は、第１駆動伝達部２３及び第２駆動伝達部２６並びにその周辺部を模式的に示す左側面図であり、図５（Ｂ）は、噛合位置の切替ギヤ５１及びその周辺部を模式的に示す斜視図であり、図５（Ｃ）は、ニュートラル位置の切替ギヤ５１及びその周辺部を模式的に示す斜視図であり、図５（Ｄ）は、切替ギヤ５１から給送ローラ２５への駆動伝達を示すブロック図である。
【図６】図６は、マイクロコンピュータ１３０の構成を示すブロック図である。
【図７】図７は、マイクロコンピュータ１３０が記録用紙１２に対する両面画像記録を実行する際の処理の手順を示すフローチャートである。
【図８】図８は、図２から各ローラ対５９、６６、４３を抽出した図であり、（Ａ）には長さＬ１を説明するために記録用紙１２が記されており、（Ｂ）には長さＬ２を説明するために搬送向き１５、１６が記されている。
【図９】図９は、変形例５においてマイクロコンピュータ１３０が記録用紙１２に対する両面画像記録を実行する際の処理の手順を示すフローチャートである。
【図１０】図１０は、変形例６におけるプリンタ部１１の内部構造を模式的に示す縦断面図である。
【発明を実施するための形態】
【００３６】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３７】
［複合機１０の全体構造］
図１に示されるように、複合機１０（本発明のインクジェット記録装置の一例）は、下部にプリンタ部１１を備えている。複合機１０は、ファクシミリ機能及びプリント機能などの各種の機能を有している。プリント機能としては、記録用紙１２（図２参照）の両面に画像を記録する両面画像記録機能を有している。プリンタ部１１には、正面に開口１３が形成されている。記録用紙１２が載置される給送トレイ２０及び排出トレイ２１が、開口１３から前後方向８に挿抜可能である。
【００３８】
図２に示されるように、給送トレイ２０の上側に給送ローラ２５が設けられている。給送ローラ２５は、給送トレイ２０に載置された記録用紙１２に上側から当接可能である。給送ローラ２５は、搬送用モータ７１（本発明のモータの一例、図３、図５（Ａ）、及び図６参照）から駆動力を付与されて回転される。これにより、給送トレイ２０に載置された記録用紙１２が、第１搬送路６５を通って搬送ローラ６０に向けて給送される。なお、搬送用モータ７１から給送ローラ２５への駆動伝達については、後述される。また、給送ローラ２５は、搬送用モータ７１でなく、専用のモータによって駆動力を付与されてもよい。
【００３９】
給送トレイ２０の後端部から第１搬送路６５が延出されている。第１搬送路６５は、湾曲部と直線部とを備える。第１搬送路６５は、所定間隔を隔てて互いに対向する外側ガイド部材１８と内側ガイド部材１９とによって区画されている。給送トレイ２０に収容された記録用紙１２は、湾曲部を下方から上方へＵターンするように搬送された後、直線部を搬送されて記録部２４に搬送される。記録部２４により画像記録が行われた記録用紙１２は、直線部を搬送されて排出トレイ２１に排出される。つまり、記録用紙１２は、図２に一点鎖線の矢印で示される搬送向き１５に搬送される。なお、記録部２４については、後述される。
【００４０】
［搬送ローラ対５９、排出ローラ対６６、及び反転ローラ対４３］
図２に示されるように、記録部２４よりも搬送向き１５の上流側には、搬送ローラ６０（本発明の第１駆動ローラの一例）及びピンチローラ６１（本発明の第１従動ローラの一例）よりなる搬送ローラ対５９が設けられている。ピンチローラ６１は、ばねなどによって搬送ローラ６０に圧接されている。これにより、ピンチローラ６１は、搬送ローラ６０に従動して回転する。
【００４１】
記録部２４よりも搬送向き１５の下流側には、排出ローラ６２及び拍車６３よりなる排出ローラ対６６が設けられている。排出ローラ対６６は、図３及び図４（Ｂ）に示されるように、左右方向９に沿って複数が離間されて配置されている。各排出ローラ６２には、軸６４が挿通されている。また、拍車６３は、左右方向９に沿って複数が間隔を空けて配置されており、排出ローラ６２と対向する位置に配置されている。各拍車６３は、排出ローラ６２と当接するローラ部１５１と、ローラ部１５１を左右方向９に沿った軸１５２を中心に回転可能に支持する回転支持部１５３と、ばねなどで構成され回転支持部１５３及びローラ部１５１を排出ローラ６２に向けて付勢する付勢部材１５４とを備えている。なお、付勢部材１５４の一端は回転支持部１５３に接続され、付勢部材１５４の他端はプリンタ部１１のフレーム（不図示）などに接続されている。以上により、拍車６３は、排出ローラ６２に圧接され、排出ローラ６２に従動して回転する。
【００４２】
図２に示されるように、排出ローラ対６６よりも搬送向き１５の下流側には、反転ローラ４５（本発明の第２駆動ローラの一例）及び拍車４６（本発明の第２従動ローラの一例）よりなる反転ローラ対４３が設けられている。反転ローラ対４３は、図３に示されるように、左右方向９に沿って複数が離間されて配置されている。各反転ローラ４５には、軸４４が挿通されている。また、拍車４６は、左右方向９に沿って複数が間隔を空けて配置されており、反転ローラ４５と対向する位置に配置されている。各拍車４６は、反転ローラ４５と当接するローラ部１４１と、ローラ部１４１を左右方向９に沿った軸１４２を中心に回転可能に支持する回転支持部（不図示）と、ばねなどで構成されており、回転支持部及びローラ部１４１を反転ローラ４５に向けて付勢する付勢部材（不図示）とを備えている。なお、付勢部材の一端は回転支持部に接続され、付勢部材の他端はプリンタ部１１のフレーム（不図示）などに接続されている。以上により、拍車４６は、反転ローラ４５に圧接され、反転ローラ４５に従動して回転する。
【００４３】
各ローラ対５９、６６、４３は、第１搬送路６５を案内される記録用紙１２を挟持した状態で回転することによって、記録用紙１２を搬送向き１５及び搬送向き１５と逆向きへ搬送する。搬送ローラ６０、排出ローラ６２、反転ローラ４５は、搬送用モータ７１（図３、図５（Ａ）、及び図６参照）から後述する駆動伝達機構５０（図５参照）を介して駆動力を付与されて回転する。搬送用モータ７１は、正転駆動及び逆転駆動可能である。正転駆動する搬送用モータ７１から駆動力を付与された搬送ローラ６０は、第２回転向きに回転する。ここで、第２回転向きは、記録用紙１２を搬送向き１５に搬送させる回転向きである。逆転駆動する搬送用モータ７１から駆動力を付与された搬送ローラ６０は、第２回転向きとは逆向きの第１回転向きに回転する。ここで、第１回転向きは、記録用紙１２を搬送向き１５とは逆向きに搬送させる回転向きである。
【００４４】
なお、両面画像記録の際、後述するように、第１搬送路６５を搬送される記録用紙１２は、排出ローラ対６６と反転ローラ対４３との間でスイッチバックされ、後述する第２搬送路６７へ向けて搬送される。
【００４５】
本実施形態において、搬送ローラ対５９及び排出ローラ対６６の搬送力は、反転ローラ対４３の搬送力よりも大きい。ここで、搬送力とは、各ローラ対５９、６６、４３が記録用紙１２を挟持して搬送する力であり、例えば各ローラ対５９、６６、４３を構成するローラの回転速度や材質、ローラ対の挟持力などによって決定される。
【００４６】
［記録部２４］
図２に示されるように、搬送ローラ対５９の搬送向き１５の下流側且つ排出ローラ対６６の搬送向き１５の上流側には、記録部２４が設けられている。記録部２４の下側且つ記録部２４と対向する位置には、プラテン４２（本発明の支持部の一例）が設けられている。プラテン４２は、第１搬送路６５を搬送される記録用紙１２を支持する。記録部２４は、プラテン４２に支持された記録用紙１２に公知のインクジェット方式で画像を記録する。記録部２４は、記録用紙１２にインク滴を吐出する複数のノズル３９が形成された記録ヘッド３８と、記録ヘッド３８を搭載するキャリッジ４０とを備えている。
【００４７】
キャリッジ４０は、プリンタ部１１のフレームなどによって、左右方向９（図２の紙面に垂直な方向）へ往復動可能に支持されている。キャリッジ４０は、公知のベルト機構を介してキャリッジ駆動用モータ５３（図６参照）と連結されている。キャリッジ４０は、キャリッジ駆動用モータ５３から駆動力が伝達されることによって左右方向９に往復動される。プラテン４２に記録用紙１２が支持されている状態で、キャリッジ４０が往復動される。キャリッジ４０が往復動されているときに、記録ヘッド３８からインク滴が吐出される。これにより、プラテン４２に支持された記録用紙１２に画像が記録される。
【００４８】
［波形状付与機構９０］
図２及び図３に示されるように、反転ローラ対４３よりも搬送向き１５の上流側には、波形状付与機構９０が設けられている。本実施形態において、波形状付与機構９０は、押さえ部１００（本発明の第１当接部の一例）、プラテン４２、排出ローラ対６６、押さえ拍車１０２（本発明の第２当接部の一例）、反転ローラ対４３、及び押さえ拍車１０４で構成されている。なお、押さえ部１００、押さえ拍車１０２、及び押さえ拍車１０４は、本発明の当接部の一例でもある。ここで、プラテン４２には、後述するように、第１支持リブ１０１（本発明の第１凸部の一例）が形成されている。なお、第１支持リブ１０１は、本発明の凸部の一例でもある。
【００４９】
図２に示されるように、押さえ部１００は、搬送ローラ対５９よりも搬送向き１５の下流側且つ記録部２４に設けられたノズル３９よりも搬送向き１５の上流側に設けられている。図３に示されるように、押さえ部１００は、左右方向９に複数が離間されて配置されている。押さえ部１００は、左右方向９に複数が離間されて配置された押さえ部材１０５の先端部である。押さえ部材１０５は、基端部が搬送ローラ対５９の上方においてプリンタ部１１のフレーム（不図示）に取り付けられており、基端部から先端部に亘って湾曲しつつ前方に延びた部材である。押さえ部１００の下面は、第１搬送路６５を搬送される記録用紙１２に上側から当接する。
【００５０】
図３に示されるように、第１支持リブ１０１は、プラテン４２の上面に形成されている。第１支持リブ１０１は、搬送ローラ対５９よりも搬送向き１５の下流側且つ排出ローラ対６６よりも搬送向き１５の上流側において、前後方向８に延びている。また、第１支持リブ１０１は、左右方向９において、各押さえ部１００の間に設けられている。また、第１支持リブ１０１は、押さえ部１００の下端よりも上側まで突出されている。また、第１支持リブ１０１の上端は、第１搬送路６５を搬送される記録用紙１２を下側から支持する。
【００５１】
以上より、搬送ローラ対５９によって搬送されるシートは、図４（Ａ）に示されるように、搬送ローラ対５９よりも搬送向き１５の下流側且つ記録部２４に設けられたノズル３９よりも搬送向き１５の上流側において、押さえ部１００及び第１支持リブ１０１によって、左右方向９に連続する波形状にされる。
【００５２】
図２に示されるように、押さえ拍車１０２は、ノズル３９よりも搬送向き１５の下流側且つ反転ローラ対４３よりも搬送向き１５の上流側に設けられている。なお、本実施形態において、押さえ拍車１０２は、前後方向８において２箇所に設けられているが、２箇所に限らず１箇所または３箇所以上に設けられていても良い。図３に示されるように、２箇所の押さえ拍車１０２の各々は、左右方向９に複数が離間されて配置されている。各押さえ拍車１０２は、左右方向９に延びた軸１７２と、軸１７２に取り付けられたローラ部１７１とを備えている。ローラ部１７１の周面は、拍車状に構成されている。軸１７２は、プリンタ部１１のフレーム（不図示）によって回転可能に支持されている。各ローラ部１７１の左右方向９の位置は、押さえ部１００の左右方向９の位置と同位置である。つまり、押さえ拍車１０２は、搬送向き１５において押さえ部１００に対応して左右方向９に複数が離間されて配置されている。押さえ拍車１０２のローラ部１７１の周面は、第１搬送路６５を搬送される記録用紙１２に上側から当接する。
【００５３】
図３に示されるように、第２支持リブ１０３（本発明の第２凸部の一例）は、プラテン４２よりも搬送向き１５の下流側且つ反転ローラ対４３よりも搬送向き１５の上流側に設けられた内側ガイド部材１９に形成されている。なお、第２支持リブ１０３は、本発明の凸部の一例でもある。第２支持リブ１０３は、内側ガイド部材１９から上側に突出され且つ前後方向８に延びている。また、第２支持リブ１０３の左右方向９の位置は、第１支持リブ１０１の左右方向９の位置と同位置である。つまり、第２支持リブ１０３は、搬送向き１５において第１支持リブ１０１に対応して配置されている。また、第２支持リブ１０３は、左右方向９において、各押さえ拍車１０２の間に設けられている。また、第２支持リブ１０３は、押さえ拍車１０２の下端よりも上側まで突出されている。また、第２支持リブ１０３の上端は、第１搬送路６５を搬送される記録用紙１２を下側から支持する。
【００５４】
これにより、搬送ローラ対５９によって搬送されるシートは、図４（Ｂ）に示されるように、ノズル３９よりも搬送向き１５の下流側且つ反転ローラ対４３よりも搬送向き１５の上流側において、押さえ拍車１０２及び第２支持リブ１０３によって、左右方向９に連続する波形状（図４（Ｂ）参照）にされる。
【００５５】
また、排出ローラ対６６の各拍車６３の左右方向９の位置は、第２支持リブ１０３の左右方向９の位置と同位置である。つまり、排出ローラ対６６の各拍車６３の左右方向９の位置は、押さえ拍車１０２の間である。また、排出ローラ対６６による記録用紙１２の挟持位置は、押さえ拍車１０２の下端よりも高位置である。
【００５６】
これにより、搬送ローラ対５９によって搬送されるシートは、押さえ拍車１０２及び排出ローラ対６６によって、左右方向９に連続する波形状（図４（Ｂ）参照）にされる。
【００５７】
図３に示されるように、押さえ拍車１０４は、前後方向８において、反転ローラ対４３の拍車４６と同位置に設けられている。押さえ拍車１０４は、左右方向９に複数が間隔を空けて配置されている。各押さえ拍車１０４は、左右方向９に延びた軸１８２と、軸１８２に取り付けられたローラ部１８１とを備えている。ローラ部１８１の周面は、拍車状に構成されている。軸１８２は、プリンタ部１１のフレーム（不図示）によって回転可能に支持されている。各ローラ部１８１の左右方向９の位置は、押さえ部１００及び押さえ拍車１０２のローラ部１７１の左右方向９の位置と同位置である。つまり、押さえ拍車１０４は、搬送向き１５において押さえ部１００及び押さえ拍車１０２に対応して左右方向９に複数が間隔を空けて配置されている。押さえ拍車１０４のローラ部１８１の周面は、第１搬送路６５を搬送される記録用紙１２に上側から当接する。
【００５８】
また、反転ローラ対４３の各拍車４６の左右方向９の位置は、第２支持リブ１０３の左右方向９の位置と同位置である。つまり、反転ローラ対４３の各拍車４６の左右方向９の位置は、隣り合う２つの押さえ拍車１０４の間である。また、反転ローラ対４３による記録用紙１２の挟持位置は、押さえ拍車１０４の下端よりも高位置である。
【００５９】
以上より、搬送ローラ対５９によって搬送されるシートは、前後方向８における反転ローラ対４３と同位置において、押さえ拍車１０４及び反転ローラ対４３によって、左右方向９に連続する波形状にされる。
【００６０】
以上より、波形状付与機構９０は、搬送ローラ対５９によって搬送される記録用紙１２に、左右方向９に連続する波形状を付与する。
【００６１】
［経路切替部材４１及び第２搬送路６７］
図２に示されるように、経路切替部材４１が、第１搬送路６５において、排出ローラ対６６と反転ローラ対４３との間に設けられている。経路切替部材４１は、補助ローラ４７、４８、フラップ４９、及び軸８７を備えている。フラップ４９は、軸８７から概ね搬送向き１５に延出されており、軸８７に回動可能に支持されている。拍車状の補助ローラ４７、４８が、フラップ４９に回転可能に支持されている。
【００６２】
フラップ４９は、記録用紙１２を排出トレイ２１に排出可能な排出姿勢（図２に破線で示される姿勢）と、延出端部４９Ａが排出姿勢よりも下方に位置する反転姿勢（図２に実線で示される姿勢）との間で回動する。
【００６３】
フラップ４９は、待機状態においては自重によって反転姿勢である。フラップ４９は、第１搬送路６５を搬送される記録用紙１２の先端と当接して持ち上げられると排出姿勢に回動する。搬送される記録用紙１２の後端（搬送向き１５の上流端）が補助ローラ４７を通過すると、フラップ４９は、自重によって排出姿勢から反転姿勢に回動する。これにより、搬送される記録用紙１２の後端が、下側に移動する。その結果、搬送される記録用紙１２の後端は、後述する第２搬送路６７へ向く。この状態において、反転ローラ４５の第２回転向きの回転が継続されると、記録用紙１２は搬送向き１５に搬送されて排出トレイ２１に排出される。一方、反転ローラ４５の回転向きが第１回転向きに切り替えられると、記録用紙１２は、搬送向き１５と逆向きに搬送されて第２搬送路６７に導かれる。以上より、反転ローラ対４３は、第２回転向きに回転することによって記録用紙１２を搬送向き１５に搬送し、第１回転向きに回転することによって記録用紙１２を搬送向き１５と逆向き、つまり第２搬送路６７へ搬送する。
【００６４】
第２搬送路６７は、排出ローラ対６６よりも搬送向き１５の下流側且つ反転ローラ対４３よりも搬送向き１５の上流側の第１接続位置３６から分岐され、搬送ローラ対５９よりも搬送向き１５の上流側の第２接続位置３７で第１搬送路６５と合流する経路である。つまり、第２搬送路６７は、第１接続位置３６及び第２接続位置３７において第１搬送路６５と接続されている。つまり、第１回転向きに回転する反転ローラ対４３は、記録用紙１２を、第２搬送路６７において第１接続位置３６から第２接続位置３７の向きである搬送向き１６（図２及び図８（Ｂ）に二点鎖線で示される向き）に搬送する。なお、第２搬送路６７は、ガイド部材３１、３２によって区画されている。
【００６５】
［センサ１６０及びロータリーエンコーダ７３］
図２に示されるように、センサ１６０が、搬送ローラ６０よりも搬送向き１５の上流側且つ第２接続位置３７よりも搬送向き１５の下流側に設けられている。なお、センサ１６０が設けられる位置は、上記位置に限らず、第１搬送路６５における上記位置以外の位置や第２搬送路６７に設けられていてもよい。また、プリンタ部１１に設けられるセンサ１６０の個数は１つに限らず、複数設けられていてもよい。例えば、センサ１６０は、第１搬送路６５及び第２搬送路６７に１つずつ設けられていてもよい。
【００６６】
本実施形態において、センサ１６０は、軸１６１と、当該軸１６１を中心に回動可能な検出子１６２と、発光素子及び当該発光素子から発光された光を受光する受光素子を有する光学センサ１６３とを備えている。検出子１６２の一端は、第１搬送路６５に突出している。検出子１６２の一端に外力が加えられていないとき、検出子１６２の他端は光学センサ１６３の発光素子から受光素子に至る光路に進入して、当該光路を通る光を遮断している。このとき、光学センサ１６３から後述するマイクロコンピュータ１３０（図６参照）にローレベルの信号が出力される。検出子１６２の一端が記録用紙１２の先端に押されて回転すると、検出子１６２の他端は上記光路から外れて、上記光路に光が通る。このとき、光学センサ１６３からマイクロコンピュータ１３０にハイレベルの信号が出力される。以上より、センサ１６０は、記録用紙１２の搬送向き１５の後端（搬送向き１５の上流端）及び先端（搬送向き１５の下流端）を検知する。
【００６７】
図３に示されるように、ロータリーエンコーダ７３は、搬送ローラ６０に設けられている。ロータリーエンコーダ７３は、搬送ローラ６０が回転することにより、パルス信号を発生する。なお、ロータリーエンコーダ７３は、搬送ローラ６０以外のローラ、例えば排出ローラ６２または反転ローラ４５に設けられていてもよい。
【００６８】
ロータリーエンコーダ７３は、搬送ローラ６０の軸３４に設けられて搬送ローラ６０と共に回転するエンコーダディスク７４と光学センサ７２とを備える。エンコーダディスク７４には、光が透過される透過部と光が透過されない非透過部とが円周方向に等ピッチで交互に配置されるようにして形成されている。エンコーダディスク７４が回転すると、光学センサ７２によって透過部と非透過部とが検出される毎にパルス信号が生成される。生成されたパルス信号は、マイクロコンピュータ１３０に出力される。以上より、ロータリーエンコーダ７３は、搬送ローラ６０の回転量を検知する。
【００６９】
［駆動伝達機構５０］
プリンタ部１１には、図５（Ａ）、（Ｂ）に示されるような駆動伝達機構５０が設けられている。駆動伝達機構５０は、第１駆動伝達機構２３、第２駆動伝達機構２６、第３駆動伝達機構２７、切替ギヤ５１、第１ギヤ７８、及び第２ギヤ７５を備えている。なお、駆動伝達機構５０は、搬送用モータ７１の回転駆動力を各ローラ２５、６０、６２、４５に伝達する機能を有するのであれば、以下に説明するような構成に限らない。
【００７０】
第１駆動伝達機構２３は、図５（Ａ）に示されるように、モータプーリ５８、ローラプーリ７６、及び無端環状の第１ベルト７７を備えている。モータプーリ５８は、搬送用モータ７１の軸に取り付けられている。ローラプーリ７６は、搬送ローラ６０の軸３４に取り付けられている。第１ベルト７７は、モータプーリ５８とローラプーリ７６との間に架け渡されている。第１駆動伝達機構２３は、以上のように構成されることにより、搬送用モータ７１の回転駆動力を搬送ローラ６０に伝達する。
【００７１】
第２駆動伝達機構２６は、図５（Ａ）に示されるように、上ギヤ５２、下ギヤ８０、第１プーリ８１、第２プーリ８２、第３プーリ８４、第４プーリ８５、第２ベルト８３、及び第３ベルト８６を備えている。上ギヤ５２は、搬送ローラ６０の軸３４において第１搬送路６５よりも左側に設けられている。下ギヤ８０は、上ギヤ５２の下側に設けられており、上ギヤ５２と噛合されている。第１プーリ８１は、下ギヤ８０の左側に取り付けられており、下ギヤ８０と同軸且つ一体に回転する。これにより、第１プーリ８１は、搬送ローラ６０の回転に従動して回転する。第２プーリ８２は、排出ローラ６２の軸６４に取り付けられている。第１プーリ８１と第２プーリ８２とに、無端環状の第２ベルト８３が架け渡されている。これにより、搬送ローラ６０が回転すると、第２ベルト８３は周運動する。その結果、搬送ローラ６０の回転駆動力は、排出ローラ６２に伝達される。
【００７２】
第３プーリ８４は、軸６４における第２プーリ８２の左側に取り付けられており、第２プーリ８２と同軸且つ一体に回転する。第４プーリ８５は、反転ローラ４５の軸４４に取り付けられている。第３プーリ８４と第４プーリ８５とに、無端環状の第３ベルト８６が架け渡されている。これにより、排出ローラ６２の回転駆動力は、反転ローラ４５に伝達される。
【００７３】
搬送ローラ６０、排出ローラ６２、及び反転ローラ４５が以上のような構成の第１駆動伝達機構２３及び第２駆動伝達機構２６によって搬送用モータ７１から駆動伝達されることにより、搬送ローラ６０が記録用紙１２を搬送向き１５に搬送するように回転すると、排出ローラ６２及び反転ローラ４５も記録用紙１２を搬送向き１５に搬送するように回転し、搬送ローラ６０が記録用紙１２を搬送向き１５と逆向きに搬送するように回転すると、排出ローラ６２及び反転ローラ４５も記録用紙１２を搬送向き１５と逆向きに搬送するように回転する。つまり、反転ローラ４５は、記録用紙１２を第２搬送路６７へ搬送するように回転する。
【００７４】
つまり、搬送ローラ６０が第２回転向きに回転すると、排出ローラ６２及び反転ローラ４５も第２回転向きに回転し、搬送ローラ６０が第１回転向きに回転すると、排出ローラ６２及び反転ローラ４５も第１回転向きに回転する。以上より、搬送ローラ６０、排出ローラ６２、及び反転ローラ４５は、共通の搬送用モータ７１によって同期して記録用紙１２を同じ向きに搬送するように正逆転される。つまり、排出ローラ６２及び反転ローラ４５は、搬送ローラ６０に同期して回転する。
【００７５】
図５（Ｂ）に示されるように、第１ギヤ７８は、搬送ローラ６０の軸３４（図２参照）における第１搬送路６５（図２参照）よりも右側に設けられている。切替ギヤ５１は、第１ギヤ７８と噛合されている。第２ギヤ７５は、切替ギヤ５１と噛合可能な位置に配置されている。切替ギヤ５１は、左右方向９に移動可能に配置されている。本実施形態において、切替ギヤ５１は、後述するように、第２ギヤ７５と噛合する噛合位置（図５（Ｂ）に示される位置）と、第２ギヤ７５と噛合しないニュートラル位置（図５（Ｃ）に示される位置）とに移動する。切替ギヤ５１を移動させる機構については、公知の機構が用いられる。例えば、切替ギヤ５１は、アクチュエータから駆動伝達されることによって左右方向９に移動してもよい。また、切替ギヤ５１は、左右方向９に移動するキャリッジ４０に押されることによって右向きに移動し、切替ギヤ５１に取り付けられた不図示のバネの付勢力によって左向きに移動してもよい。
【００７６】
切替ギヤ５１が噛合位置に位置しているとき、搬送用モータ７１から切替ギヤ５１に伝達された回転駆動力は、図５（Ｄ）に示されるように、第２ギヤ７５及び第３駆動伝達部２７を介して、給送ローラ２５に伝達される。第３駆動伝達部２７は、ギヤやベルトなどで構成されている。例えば、第３駆動伝達部２７は、遊星ギヤ機構を備えており、給送ローラ２５を一方の回転向き、具体的には記録用紙１２を給送トレイ２０から第１搬送路６５に給送させる回転向きにのみ回転させる。一方、切替ギヤ５１がニュートラル位置に位置しているとき、搬送用モータ７１から切替ギヤ５１に伝達された回転駆動力は、給送ローラ２５に伝達されない。つまり、切替ギヤ５１の位置が切り替えられることによって、給送ローラ２５の回転の有無、換言すると給送トレイ２０に載置されている記録用紙１２の第１搬送路６５への給送の有無が切り替えられる。
【００７７】
［マイクロコンピュータ１３０］
図６に示されるマイクロコンピュータ１３０は、複合機１０の全体動作を制御する。例えば、マイクロコンピュータ１３０は、搬送用モータ７１を制御する。また、例えば、マイクロコンピュータ１３０は、キャリッジ駆動用モータ５３の駆動を制御してキャリッジ４０を移動させる。マイクロコンピュータ１３０は、ＣＰＵ１３１、ＲＯＭ１３２、ＲＡＭ１３３、ＥＥＰＲＯＭ１３４、ＡＳＩＣ１３５、及びこれらを相互に接続する内部バス１３７を備えている。
【００７８】
ＲＯＭ１３２には、ＣＰＵ１３１が各種動作を制御するためのプログラムなどが格納されている。ＲＡＭ１３３は、ＣＰＵ１３１が上記プログラムを実行する際に用いるデータや信号等を一時的に記録する記憶領域として使用される。ＥＥＰＲＯＭ１３４には、電源オフ後も保持すべき設定やフラグ等が格納される。
【００７９】
ＡＳＩＣ１３５には、搬送用モータ７１及びキャリッジ駆動用モータ５３などが接続されている。各モータを駆動させるための駆動信号が、ＣＰＵ１３１から所定のモータに応じた駆動回路に入力されると、駆動信号に応じた駆動電流が駆動回路から対応するモータへ出力され、これにより、対応するモータが所定の回転速度で正転または逆転される。
【００８０】
また、ＡＳＩＣ１３５には、ロータリーエンコーダ７３の光学センサ７２（図３参照）から出力されるパルス信号が入力される。マイクロコンピュータ１３０は、光学センサ７２からのパルス信号に基づいて、搬送ローラ６０の回転量を算出する。また、ＡＳＩＣ１３５には、センサ１６０の光学センサ１６３が接続されている。マイクロコンピュータ１３０は、光学センサ１６３からの信号に基づいて、センサ１６０の配置位置における記録用紙１２の搬送向き１５の後端及び先端を検知する。そして、マイクロコンピュータ１３０は、搬送ローラ６０の回転量と、センサ１６０の配置位置における記録用紙１２の搬送向き１５の後端及び先端の検知タイミングとに基づいて、搬送される記録用紙１２の搬送向き１５の後端及び先端の位置を判断する。
【００８１】
［画像記録制御］
以下、マイクロコンピュータ１３０が記録用紙１２に対する両面画像記録を実行する際の処理の手順が、図７のフローチャートに基づいて説明される。マイクロコンピュータ１３０が上記処理を実行することによって、本発明の制御部の処理が実現される。つまり、マイクロコンピュータ１３０は、本発明の制御部の一例である。なお、本説明においては、切替ギヤ５１（図５参照）は、マイクロコンピュータ１３０によって制御される専用のアクチュエータによって第２ギヤ７５と噛合する噛合位置（図５（Ｂ）に示される位置）と、第２ギヤ７５と噛合しないニュートラル位置（図５（Ｃ）に示される位置）とに移動するものとする。また、本説明においては、切替ギヤ５１の初期位置は、噛合位置（図５（Ｂ）に示される位置）であるとする。
【００８２】
また、本実施形態において、マイクロコンピュータ１３０は、以下のような記録用紙１２に対しての画像記録を制御する。つまり、画像記録される記録用紙１２は、その搬送向き１５に沿った長さＬ１（図８（Ａ）参照、本発明のシート長の一例）が、長さＬ２（図８（Ｂ）参照）よりも長い。ここで、長さＬ１は、記録用紙１２が給送トレイ２０に載置された状態における記録用紙１２の前後方向８に沿った長さであり、例えば、搬送向き１５に搬送される記録用紙１２の先端がセンサ１６０に検知されてから当該記録用紙１２の後端がセンサ１６０に検知されるまでの搬送ローラ６０の回転量によって求めることができる。なお、マイクロコンピュータ１３０は、センサ１６０の検知及び搬送ローラ６０の回転量によって求める方法以外で、長さＬ１を認識してもよい。例えば、マイクロコンピュータ１３０は、印刷前にユーザが操作パネル１７を操作することによって指定した記録用紙１２のサイズに基づいて、長さＬ１を認識してもよい。
【００８３】
また、長さＬ２は、反転ローラ対４３による記録用紙１２の挟持位置から、第１接続位置３６から第２搬送路６７を通って第２接続位置３７へ向かい、第２接続位置３７から第１搬送路６５を通って反転ローラ対４３による記録用紙１２の挟持位置へ戻ってくるまでの搬送経路の長さである。長さＬ２は、複合機１０における第１搬送路６５及び第２搬送路６７の長さや、第１接続位置３６及び第２接続位置３７の位置や、反転ローラ対４３の配置位置などで決まる設計値である。
【００８４】
例えば、操作パネル１７（図１参照）の操作により両面印刷が指示されると、マイクロコンピュータ１３０が搬送用モータ７１を逆転させる（Ｓ１０）。これにより、給送ローラ２５が回転する。また、搬送用モータ７１の逆転によって（Ｓ１０）、搬送ローラ６０、排出ローラ６２、及び反転ローラ４５が第１回転向き、つまり記録用紙１２を搬送向き１５とは逆向きに搬送させる向きに回転する。
【００８５】
給送ローラ２５が回転することによって、給送トレイ２０に載置された記録用紙１２が第１搬送路６５に給送される（Ｓ２０）。給送される記録用紙１２の先端（記録用紙１２の搬送向き１５の下流端）がセンサ１６０に到達すると、当該先端がセンサ１６０によって検知される（Ｓ３０）。本実施形態では、マイクロコンピュータ１３０は、記録用紙１２がセンサ１６０によって検知されてから給送ローラ２５が所定回転量回転することによって、搬送向き１５に搬送される記録用紙１２の先端が搬送ローラ対５９に到達したと判断する。
【００８６】
マイクロコンピュータ１３０は、搬送向き１５に搬送される記録用紙１２の先端が搬送ローラ６０と当接してから予め設定された時間だけ、搬送ローラ６０の第１回転向きの回転を維持する。これにより、搬送ローラ６０と当接した記録用紙１２の斜行を正す所謂レジスト処理が実行される（Ｓ４０）。レジスト処理の後、マイクロコンピュータ１３０は、搬送用モータ７１を停止させる。その後、マイクロコンピュータ１３０は、切替ギヤ５１を噛合位置からニュートラル位置に移動させる。これにより、給送ローラ２５は停止される（Ｓ５０）。その後、マイクロコンピュータ１３０は、搬送用モータ７１を正転で駆動させる（Ｓ６０）。これにより、搬送ローラ６０が記録用紙１２を搬送向き１５に搬送する。そして、記録用紙１２は、押さえ部１００と第１支持リブ１０１とによって、左右方向９に連続する波形状にされる。
【００８７】
次に、マイクロコンピュータ１３０は、第１面（表面）が印刷される記録用紙１２の頭出し処理を実行する（Ｓ７０）。具体的には、マイクロコンピュータ１３０は、搬送向き１５に搬送される記録用紙１２の先端が記録部２４と対向する印刷開始位置に到達すると、搬送用モータ７１を停止させる。これにより、搬送ローラ６０が停止されて、記録用紙１２が停止される。ここで、印刷開始位置とは、例えば、記録用紙１２の画像記録領域における先端が、記録ヘッド３８に形成された複数のノズル３９のうち搬送向き１５の上流端に位置するノズル３９と対向する位置である。
【００８８】
頭出し処理（Ｓ７０）が完了すると、マイクロコンピュータ１３０は、記録用紙１２の第１面に対する画像記録を実行する（Ｓ８０）。詳細には、マイクロコンピュータ１３０は、記録部２４を制御してキャリッジ４０を左右方向９に移動させつつノズル３９からプラテン４２に支持された記録用紙１２に向けてインク滴を吐出させる処理と、搬送ローラ６０を制御して記録用紙１２を所定の改行幅だけ搬送向き１５に搬送させる処理とを交互に実行する。
【００８９】
画像記録の完了後、マイクロコンピュータ１３０は、搬送用モータ７１を正転させることにより、搬送ローラ６０、排出ローラ６２、及び反転ローラ４５を第２回転向きに回転させて、記録用紙１２を搬送向き１５に搬送させる。これにより、記録用紙１２は、記録部２４の直下から搬送向き１５の下流側に搬送される。その結果、記録用紙１２は、記録用紙１２を挟持した排出ローラ対６６と押さえ拍車１０２とによって、左右方向９に連続する波形状にされる。また、記録用紙１２は、押さえ拍車１０２及び第２支持リブ１０３によっても、左右方向９に連続する波形状にされる。
【００９０】
このように、記録用紙１２が左右方向９に連続する波形状にされることによって、記録用紙１２の剛性が強くなる。その結果、記録用紙１２の先端は、垂れ下がることなく、適正に反転ローラ対４３へ導かれる。
【００９１】
なお、反転ローラ対４３に挟持された記録用紙１２は、押さえ拍車１０４及び反転ローラ対４３によって、左右方向に連続する波形状にされる。
【００９２】
搬送向き１５に搬送される記録用紙１２の先端が経路切替部材４１に到達すると、経路切替部材４１は記録用紙１２に押し上げられることにより、反転姿勢から排出姿勢に姿勢変化される。この状態では、反転ローラ４５が第２回転向きに回転しているため、記録用紙１２の排出トレイ２１に向けての搬送が継続される。その後、マイクロコンピュータ１３０は、搬送向き１５に搬送される記録用紙１２の後端（記録用紙１２の搬送向き１５の上流端）が補助ローラ４７と補助ローラ４８との間の規定位置、つまり第１接続位置３６に到達したと判断すると、搬送用モータ７１を停止する（Ｓ９０）。記録用紙１２の後端が規定位置に到達すると、記録用紙１２が経路切替部材４１を押し上げる力よりも経路切替部材４１の自重による力が大きくなる。これにより、経路切替部材４１が排出姿勢から反転姿勢へ姿勢変化する。その結果、搬送向き１５に搬送される記録用紙１２の後端は、補助ローラ４８によって下側へ押され、第２搬送路６７側へ向けられる。
【００９３】
次に、マイクロコンピュータ１３０は、搬送用モータ７１を逆転させる（Ｓ１００）。これにより、搬送ローラ６０、排出ローラ６２、及び反転ローラ４５が第１回転向きに回転する。
【００９４】
ステップＳ１００が実行されることにより、記録用紙１２の搬送向きは、搬送向き１５の逆向きとなり、搬送向き１５の上流端が第２搬送路６７側へ向けられた記録用紙１２は、第２搬送路６７へスイッチバック搬送される。スイッチバック搬送された記録用紙１２は、第２搬送路６７を第１接続位置３６から第２接続位置３７へ向かう向きである搬送向き１６に搬送される。これ以後、記録用紙１２の先端及び後端が先程までの第１面（表面）への印刷の搬送とは逆になる。つまり、第１面（表面）へ印刷する場合の記録用紙１２の後端（搬送向き１５の上流端）が、スイッチバック搬送される記録用紙１２の先端となり、第１面（表面）へ印刷する場合の記録用紙１２の先端（搬送向き１５の下流端）が、スイッチバック搬送される記録用紙１２の後端となる。
【００９５】
スイッチバック搬送され、第２接続位置３７から再び第１搬送路６５へ搬送された記録用紙１２の先端がセンサ１６０に到達すると、当該先端がセンサ１６０によって検知される（Ｓ１１０）。その後、ステップＳ５０と同様にレジスト処理が実行され（Ｓ１２０）、ステップＳ６０と同様に搬送用モータ７１が逆転から正転に切り替えられる（Ｓ１３０）。つまり、マイクロコンピュータ１３０は、第２搬送路６７を経て再び第１搬送路６５へ搬送された記録用紙１２の先端が、搬送ローラ対５９による記録用紙１２の挟持位置に位置していることを条件として、搬送用モータ７１を正転して、記録用紙１２を搬送向き１５の下流側に搬送する。記録用紙１２が搬送ローラ対５９から搬送向き１５の下流側に搬送されると、当該記録用紙１２は、ステップＳ６０のときと同様に、押さえ部１００と第１支持リブ１０１とによって、左右方向９に連続する波形状にされる。
【００９６】
なお、本実施形態では、ステップＳ１２０において、搬送用モータ７１が逆転から正転に切り替えられて、搬送ローラ６０、排出ローラ６２、及び反転ローラ４５が第２回転向きに回転すると、共に記録用紙１２を挟持する搬送ローラ対５９と反転ローラ対４３とが、記録用紙１２を引っ張り合う状態となる。そこで、本実施形態では、上述したように、搬送ローラ対５９の搬送力は、反転ローラ対４３の搬送力よりも大きく設定されている。ここで、搬送力とは、ローラ対が記録用紙１２を搬送する力であり、例えばローラ対を構成するローラの回転速度や材質、ローラ対の挟持力などによって決定される。上記設定によって、搬送ローラ対５９の記録用紙１２を搬送する力が、反転ローラ対４３の記録用紙１２を搬送する力よりも大きくなるため、搬送ローラ対５９は、反転ローラ対４３に挟持された記録用紙１２を引き出して、当該記録用紙１２を搬送することができる。
【００９７】
その後、マイクロコンピュータ１３０は、第１面に画像記録したときと同様にして、記録用紙１２を印刷開始位置へ搬送して（Ｓ１４０）、記録用紙１２の第２面に画像記録する（Ｓ１５０）。ここで、第２面は第１面の裏面である。そして、マイクロコンピュータ１３０は、搬送用モータ７１を正転させることにより、搬送ローラ６０、排出ローラ６２、及び反転ローラ４５を第２回転向きに回転させて、記録用紙１２を搬送向き１５に搬送させる。
【００９８】
これにより、第１面の画像記録後のときと同様に、記録用紙１２は、記録部２４の直下から搬送向き１５の下流側に搬送され、記録用紙１２を挟持した排出ローラ対６６と押さえ拍車１０２とによって、左右方向９に連続する波形状にされる。また、記録用紙１２は、押さえ拍車１０２及び第２支持リブ１０３によっても、左右方向９に連続する波形状にされる。
【００９９】
このように、記録用紙１２が左右方向９に連続する波形状に維持されることによって、記録用紙１２の剛性が強くなる。その結果、第２面を画像記録された記録用紙１２の先端は、第１面を画像記録された際と同様に、垂れ下がることなく、適正に反転ローラ対４３へ導かれる。
【０１００】
なお、反転ローラ対４３に挟持された記録用紙１２は、押さえ拍車１０４及び反転ローラ対４３によって、左右方向９に連続する波形状にされる。
【０１０１】
その後、記録用紙１２は、反転ローラ対４３を通過して反転ローラ対４３よりも搬送向き１５の下流側に搬送され、排出トレイ２１に排出される（Ｓ１６０）。
【０１０２】
［実施形態の効果］
本実施形態によれば、第１搬送路６５を搬送される記録用紙１２は、波形状付与機構９０によって、左右方向９に沿って波打った状態となる。そして、記録用紙１２が波打った状態となることによって、記録用紙１２の剛性が強くなる。その結果、記録用紙１２の先端を反転ローラ対４３に向けて適正に搬送することができる。つまり、本実施形態によれば、記録用紙１２を第２搬送路６７へ導くための反転ローラ対４３を構成する反転ローラ４５及び拍車４６を離間させることなく、記録用紙１２の後端付近が挟持された反転ローラ対４３に記録用紙１２の先端を導き、且つ記録用紙１２を反転ローラ対４３によって適切に挟持することができる。
【０１０３】
また、本実施形態によれば、第１搬送路６５を搬送される記録用紙１２の下側を第１支持リブ１０１及び第２支持リブ１０３で支持し、上側を押さえ部１００及び押さえ拍車１０２、１０４で押さえることによって、当該記録用紙１２を左右方向９に沿って波打った状態とすることができる。
【０１０４】
また、本実施形態によれば、ノズル３９よりも搬送向き１５の下流側且つ反転ローラ対４３よりも搬送向き１５の上流側に、押さえ拍車１０２及び第２支持リブ１０３などが設けられており、ノズル３９よりも搬送向き１５の下流側且つ反転ローラ対４３よりも搬送向き１５の上流側において、記録用紙１２は左右方向９に沿って波打った状態とされる。これにより、波形状付与機構９０によって記録部２４による画像記録後の記録用紙１２の剛性が強くなるため、記録用紙１２を反転ローラ対４３に挟持させやすい。
【０１０５】
また、本実施形態によれば、搬送向き１５において、記録用紙１２を上側から押さえる部材と、記録用紙１２を下側から支持する部材とが、それぞれ複数設けられている。これにより、記録用紙１２の剛性を強めることができる。
【０１０６】
また、本実施形態によれば、押さえ拍車１０２と排出ローラ対６６とによって記録用紙１２が左右方向９に沿って波打った状態とされるため、記録用紙１２の左右方向９に沿った波打った状態を崩さずに、当該記録用紙１２を反転ローラ対４３まで搬送することができる。
【０１０７】
また、本実施形態によれば、排出ローラ対６６が記録用紙１２を挟持して搬送する力は、反転ローラ対４３が記録用紙１２を挟持して搬送する力よりも強い。そのため、本実施形態によれば、排出ローラ対６６によって搬送向き１５に搬送されて反転ローラ対４３に到達した記録用紙１２の先端を、反転ローラ対４３による挟持位置へ容易に押し込むことができる。また、記録用紙１２の先端が排出ローラ対６６に挟持されたときに、記録用紙１２の後端付近が反転ローラ対４３に挟持された状態であっても、記録用紙１２の後端を容易に反転ローラ対４３から引き抜くことができる。
【０１０８】
また、本実施形態によれば、第１搬送路６５を搬送される記録用紙１２は、所定高さで排出ローラ対６６に挟持される。また、当該記録用紙１２は、左右方向９における排出ローラ対６６の間において押さえ拍車１０２に押さえられることによって上記所定高さよりも下側に位置する。これにより、当該記録用紙１２を左右方向９に沿って波打った状態とすることができる。
【０１０９】
また、本実施形態によれば、搬送ローラ対５９が記録用紙１２を挟持して搬送する力は、反転ローラ対４３が記録用紙１２を挟持して搬送する力よりも大きい。これにより、記録用紙１２の先端が第２搬送路６７を経て搬送ローラ対５９に挟持されたときに、記録用紙１２の後端付近が反転ローラ対４３に挟持された状態であっても、記録用紙１２の後端を反転ローラ対４３から容易に引き抜いて、当該記録用紙１２を適正に搬送することができる。
【０１１０】
また、本実施形態によれば、第２搬送路６７を搬送されてきた記録用紙１２の先端が搬送ローラ対５９による記録用紙１２の挟持位置に到達してから搬送用モータ７１が正転されるため、記録用紙１２を搬送ローラ対５９によって確実に搬送向き１５に搬送させることができる。つまり、本実施形態によれば、搬送ローラ６０と反転ローラ４５とを共通の搬送用モータ７１によって駆動させた場合であっても、第１面に画像記録された記録用紙１２を反転ローラ対４３によって第２搬送路６７へ向けて搬送し、第２搬送路６７から搬送ローラ対５９へ到達した当該記録用紙１２を搬送ローラ対５９によって記録部２４へ搬送し、記録部２４によって第２面に画像記録された当該記録用紙１２を再び反転ローラ対４３へ導く動作を、実行することができる。
【０１１１】
［変形例１］
上述の実施形態では、波形状付与機構９０は、ノズル３９よりも搬送向き１５の上流側及び下流側の両方に設けられていたが、波形状付与機構９０は、ノズル３９よりも搬送向き１５の下流側のみに設けられていてもよい。例えば、プリンタ部１１は、上述の実施形態における押さえ部１００及び第１支持リブ１０１が設けられていない構成であってもよい。つまり、変形例１において、波形状付与機構９０は、少なくとも本発明の当接部（例えば押さえ拍車１０２、１０４）及び本発明の凸部（例えば第２支持リブ１０３）を、ノズル３９よりも搬送向き１５の下流側且つ反転ローラ対４３よりも搬送向き１５の上流側に備えていればよい。
【０１１２】
［変形例２］
変形例１における例では、波形状付与機構９０は、ノズル３９よりも搬送向き１５の下流側且つ反転ローラ対４３よりも搬送向き１５の上流側のみに設けられていたが、波形状付与機構９０は、ノズル３９よりも搬送向き１５の上流側のみに設けられていてもよい。
【０１１３】
［変形例３］
上述の実施形態では、記録用紙１２は、ノズル３９よりも搬送向き１５の上流側において押さえ部１００により押さえられ、ノズル３９よりも搬送向き１５の下流側において押さえ拍車１０２、１０４により押さえられていたが、記録用紙１２を押さえるための構成は上記に限らない。
【０１１４】
例えば、記録用紙１２は、ノズル３９よりも搬送向き１５の上流側において押さえ拍車により押さえられ、ノズル３９よりも搬送向き１５の下流側において押さえ部により押さえられていてもよい。
【０１１５】
また、例えば、プリンタ部１１に押さえ拍車が設けられておらず、記録用紙１２は、ノズル３９よりも搬送向き１５の上流側または下流側の少なくとも一方において、押さえ部と支持リブとによって左右方向９に連続する波形状にされてもよい。
【０１１６】
また、例えば、上記とは逆に、プリンタ部１１に押さえ部が設けられておらず、記録用紙１２は、ノズル３９よりも搬送向き１５の上流側または下流側の少なくとも一方において、押さえ拍車と支持リブ及び／またはローラ対とによって左右方向９に連続する波形状にされてもよい。
【０１１７】
また、上述の実施形態では、記録用紙１２は、排出ローラ対６６と押さえ拍車１０２とによって、及び反転ローラ対４３と押さえ拍車１０４とによって、左右方向９に連続する波形状にされていたが、記録用紙１２は、搬送ローラ対５９と押さえ拍車とによって、左右方向９に連続する波形状にされてもよい。
【０１１８】
［変形例４］
押さえ部１００、押さえ拍車１０２、１０４、排出ローラ対６６、反転ローラ対４３、第１支持リブ１０１、及び第２支持リブ１０３の搬送向き１５における位置関係は、記録用紙１２を左右方向９に連続する波形状にする機能を損なわない限り、上述の実施形態や変形例１〜３で説明した位置関係とは異なる位置関係であってもよい。例えば、上述の実施形態では、押さえ拍車１０２が排出ローラ対６６よりも搬送向き１５の下流側に配置されていたが、押さえ拍車１０２は排出ローラ対６６よりも搬送向き１５の上流側に配置されていてもよい。
【０１１９】
［変形例５］
変形例５において、マイクロコンピュータ１３０は、記録用紙１２に対する両面画像記録を実行する際の処理において、記録部２４によって第１面の画像記録が完了し、搬送ローラ対５９によって反転ローラ対４３へ向けて搬送された記録用紙１２の先端が、押さえ拍車１０２よりも搬送向き１５の下流側であり、且つ反転ローラ対４３よりも搬送向き１５の上流側に位置することを条件として、当該記録用紙１２を所定時間停止させる。
【０１２０】
以下、変形例５において、マイクロコンピュータ１３０が記録用紙１２に対する両面画像記録を実行する際の処理の手順が、図９のフローチャートに基づいて説明される。なお、本説明においては、上述の実施形態における処理の手順（図７のフローチャートの手順）とは異なる処理（図９において破線で示されたステップ）については詳細に説明され、同じ処理（図９において実線で示されたステップ）については省略または簡略して説明される。
【０１２１】
第１面に対する画像記録（Ｓ８０）が完了した記録用紙１２が、第２搬送路６７を経て、第２面に対する画像記録のために印刷開始位置へ搬送された後（Ｓ１４０）、マイクロコンピュータ１３０は、搬送ローラ対５９によって反転ローラ対４３へ向けて搬送向き１５に搬送されている当該記録用紙１２の先端の位置が所定位置であるか否かを判断する（Ｓ４００）。ここで、所定位置は、押さえ拍車１０２よりも搬送向き１５の下流側であり且つ反転ローラ対４３よりも搬送向き１５の上流側の位置のうち予め設定された位置である。
【０１２２】
マイクロコンピュータ１３０は、記録用紙１２の搬送向き１５の下流端が所定位置に到達したと判断した場合（Ｓ４００：Ｙｅｓ）、搬送用モータ７１を停止させる（Ｓ４１０）。これにより、搬送ローラ６０、排出ローラ６２、及び反転ローラ４５が停止して、記録用紙１２が停止される。
【０１２３】
次に、マイクロコンピュータ１３０は、ステップＳ４１０において記録用紙１２が停止されてから所定時間が経過したか否かを判断する（Ｓ４２０）。ここで、所定時間は、記録部２４によって記録用紙１２に吐出されて記録用紙１２に付着したインクが乾くのに十分な時間として予め設定された時間である。なお、本実施形態では、マイクロコンピュータ１３０は、タイマ回路を備えており、当該タイマ回路のカウント値によってステップＳ４２０の判断を行う。
【０１２４】
マイクロコンピュータ１３０は、所定時間が経過したと判断すると（Ｓ４２０：Ｙｅｓ）、搬送用モータ７１を正転させる（Ｓ４３０）。これにより、搬送ローラ６０が記録用紙１２を搬送向き１５に搬送する。
【０１２５】
一方、マイクロコンピュータ１３０は、記録用紙１２の第２面に対する画像記録（Ｓ１５０）中に、当該画像記録を一時中断して、上述したステップＳ４００〜Ｓ４２０と同様の処理を実行する（Ｓ４４０〜Ｓ４６０）。つまり、マイクロコンピュータ１３０は、反転ローラ対４３によって第２搬送路６７へ搬送され、記録部２４によって第２面を画像記録（Ｓ１５０）されている記録用紙１２の先端が、押さえ拍車１０２よりも搬送向き１５の下流側であり、且つ反転ローラ対４３よりも搬送向きの上流側に位置することを条件として（Ｓ４４０：Ｙｅｓ）、当該画像記録を一時中断して、当該記録用紙１２を所定時間停止させる（Ｓ４５０、Ｓ４６０）。所定時間の経過後、マイクロコンピュータ１３０は、記録用紙１２の第２面に対する画像記録を再開させる（Ｓ４７０）。
【０１２６】
なお、変形例５では、記録用紙１２が第２面に対する画像記録のために印刷開始位置へ搬送（Ｓ１４０）された後、及び記録用紙１２の第２面に対する画像記録の開始（Ｓ１５０）後において、記録用紙１２が所定時間停止されているが、記録用紙１２の所定時間の停止は、Ｓ１４０の後またはＳ１５０の後の少なくとも一方において実行されればよい。
【０１２７】
変形例５によれば、記録用紙１２が波形状付与機構９０によって左右方向９に沿って波打った状態が所定時間維持される。これにより、インクが付着されることによる記録用紙１２の変形を緩和することができる。また、変形例５によれば、記録用紙１２が排出ローラ対６６に挟持され且つ押さえ拍車１０２に押さえられることによって左右方向９に沿って波打った状態が所定時間維持される。これにより、インクが付着されることによる記録用紙１２の変形を緩和することができる。
【０１２８】
[変形例６]
上述の実施形態では、第２搬送路６７は、図２に示されるように、排出ローラ対６６よりも搬送向き１５の下流側且つ反転ローラ対４３よりも搬送向き１５の上流側の第１接続位置３６から分岐され、搬送ローラ対５９よりも搬送向き１５の上流側の第２接続位置３７で第１搬送路６５と合流していた。しかし、第２搬送路６７は、記録ヘッド３８と対向する記録用紙１２の面を表裏逆とすることを目的とする経路であるため、当該目的が達成されるのであれば、第２搬送路６７は上述の実施形態で説明されたもの、具体的には図２に示されたものに限らない。
【０１２９】
例えば、図１０に示されるように、第１搬送路６５における搬送ローラ対５９と記録部２４との間に反転ローラ対４３が配置されており、第２搬送路６７は、搬送ローラ対５９よりも搬送向き１５の下流側且つ反転ローラ対４３よりも搬送向き１５の上流側の位置、及び搬送ローラ対５９よりも搬送向き１５の上流側の位置において、第１搬送路６５と接続されていてもよい。なお、図１０においては、搬送ローラ対５９と反転ローラ対４３との間において第１搬送路６５の上側に設けられている経路切替部材４１の図示は省略されている。
【０１３０】
また、図１０の例では、搬送ローラ対５９よりも搬送向き１５の下流側であり、且つ第１搬送路６５及び第２搬送路６７の接続位置よりも搬送向き１５の上流側に、波形状付与機構９０としての押さえ部１００が配置されている。また、図１０の例では、第１支持リブ１０１がプラテン４２には配置されていない。代わりに、波形状付与機構９０としての第１支持リブ１０１は、押さえ部１００に対向して配置され且つ第１搬送路６５を搬送される記録用紙１２を支持するガイド部材（例えば内側ガイド部材１９）に配置されている。なお、図１０では、第１支持リブ１０１及び内側ガイド部材１９は省略されている。以上より、図１０の例では、波形状付与機構９０は、反転ローラ対４３よりも搬送向き１５の上流側に設けられている。
【０１３１】
なお、第１搬送路６５における上記接続位置の上流側に配置される波形状付与機構９０は、押さえ部１００と第１支持リブ１０１に限らない。例えば、第１支持リブ１０１の代わりに、搬送ローラ対５９よりも搬送向き１５の下流側に拍車１０６（図１０に破線で示される。）が配置されていてもよい。
【０１３２】
以下に詳述する。拍車１０６は、左右方向９に複数が離間されて配置されている。各拍車１０６は、左右方向９に延びた軸１０７と、軸１０７に取り付けられたローラ部１０８とを備えている。ローラ部１０８の周面は、拍車状に構成されている。軸１０７は、プリンタ部１１のフレーム（不図示）によって回転可能に支持されている。各ローラ部１０８の左右方向９の位置は、２つの隣り合う押さえ部１００の間である。拍車１０６のローラ部１０８の周面は、第１搬送路６５を搬送される記録用紙１２を下側から支持する。
【０１３３】
また、拍車１０６のローラ部１０８上端は、押さえ部１００の下端よりも上側に位置している。以上により、記録用紙１２は、押さえ部１００と拍車１０６とによって波形状にされる。この場合、押さえ部１００と拍車１０６は、本発明の波形状付与機構９０の一例である。
【０１３４】
また、図１０の例では、給送トレイ２０に載置された記録用紙１２は、矢印６８で示された経路を経て、搬送ローラ対５９に導かれる。搬送ローラ対５９から反転ローラ対４３に搬送され、反転ローラ対４３によって記録部２４と対向する位置に搬送された記録用紙１２は、記録部２４によって第１面に画像記録される。第１面で画像記録が終了する場合は、記録用紙１２は排出ローラ対６６によって排出される。一方、第２面にも画像を記録する場合は、記録用紙１２は排出ローラ対６６によって記録部２４の直下を通って反転ローラ対４３に戻される。次に、記録用紙１２は、反転ローラ対４３によって第２搬送路６７にスイッチバック搬送され、搬送向き１６（図１０に二点鎖線の矢印で示されている。）に搬送される。記録用紙１２の先端が搬送ローラ対５９に到達すると、記録用紙１２は搬送ローラ対５９によって搬送向き１５に搬送される。このとき、反転ローラ対４３の回転向きも切り替えられ、記録用紙１２を搬送向き１５へ搬送する向きに回転される。この際、搬送ローラ対５９と反転ローラ対４３とによって記録用紙１２の引っ張り合いが発生するが、搬送ローラ対５９の方が反転ローラ対４３よりも駆動力が大きいため、記録用紙１２を搬送向き１５に搬送することができる。これにより、記録用紙１２は、表裏逆となった状態で、再び反転ローラ対４３に導かれる。記録用紙１２が反転ローラ対４３まで送られる際、波形状付与機構９０と記録用紙１２とが当接した状態であるため、記録用紙１２を反転ローラ対４３よりも搬送向き１５の下流側へ搬送することができる。次に、反転ローラ対４３によって記録部２４と対向する位置に搬送された記録用紙１２は、記録部２４によって第２面に画像記録される。その後、記録用紙１２は、排出ローラ対６６によって排出される。
【０１３５】
なお、変形例６を他の実施形態（上述の実施形態や変形例１乃至変形例５）と組み合わせることは、変形例６における第２搬送路６７や反転ローラ対４３などの配置位置で当該組み合わせが実現可能な範囲内で、行うことができる。
【符号の説明】
【０１３６】
１０・・・複合機
１２・・・記録用紙
１５・・・搬送向き
２４・・・記録部
３９・・・ノズル
４３・・・反転ローラ対
５９・・・搬送ローラ対
６７・・・第２搬送路
９０・・・波形状付与機構
１３０・・・マイクロコンピュータ
【図１】
2014047053.tif 000003
【図２】
2014047053.tif 000004
【図３】
2014047053.tif 000005
【図４】
2014047053.tif 000006
【図５】
2014047053.tif 000007
【図６】
2014047053.tif 000008
【図７】
2014047053.tif 000009
【図８】
2014047053.tif 000010
【図９】
2014047053.tif 000011
【図１０】
2014047053.tif 000012